(57)【要約】【課題】小型の覆工コンクリートの湿潤養生装置を提供すること。【解決手段】トンネル内壁面１１をコンクリートで被覆するトンネル覆工工事で使用され、トンネル１内を移動する覆工用のセントルＳとトンネル内壁面１１との間の空間に打設されたコンクリートの硬化後、当該硬化した覆工コンクリートの表面にひび割れの発生を抑制するようコンクリート表面を湿潤状態にして養生させる覆工コンクリートの湿潤養生装置２である。湿潤養生装置２は、天井面に設置され前記セントルＳの後方に延びる軌道３３と、軌道３３に沿って移動可能な移動体４４と、移動体４４に設置され覆工コンクリートに向けて噴霧液を噴霧する噴霧装置５とを有する。軌道３３は、セントルＳの進行に伴いその進行方向に増設される支持材６によって移動自在に支持される。【選択図】図１
2009108612.tif 000002
【特許請求の範囲】
【請求項１】
トンネル内壁面をコンクリートで被覆するトンネル覆工工事で使用され、トンネル内を移動する覆工用の型枠とトンネル内壁面との間の空間に打設されたコンクリートの硬化後、当該硬化した覆工コンクリートの表面にひび割れが発生するのを抑制するようコンクリート表面を湿潤状態にして養生させる覆工コンクリートの湿潤養生装置であって、
天井面に設置され前記型枠の後方に向けて延びる軌道と、
この軌道に沿って移動可能な移動体と、
この移動体に設置され前記覆工コンクリートに向けて噴霧液を噴霧する噴霧装置と、を有し、
前記軌道は、前記型枠の進行に伴いその進行方向に増設される支持材によって移動自在に支持されることを特徴とする覆工コンクリートの湿潤養生装置。
【請求項２】
前記移動体は、前記軌道上を滑走する滑走部と、
この滑走部に支持されかつ前記噴霧装置を装備する噴霧装置装備部と、を有することを特徴とする請求項１に記載の覆工コンクリートの湿潤養生装置。
【請求項３】
前記噴霧装置は、トンネル横断面の少なくとも上半部分の形状に沿った形状をしたハンガーと、このハンガーに備えられる多数の噴霧ノズル部と、を有し、
噴霧ノズル部は、ノズルとこのノズルに対して噴霧液を供給する管体とを有し、少なくとも管体は伸縮自在の蛇腹状をした管であることを特徴とする請求項１又は２に記載の覆工コンクリートの湿潤養生装置。
【請求項４】
前記支持材は、
トンネル天井面に垂下された状態で取り付けられる取り付け部と、
前記軌道を滑走自在に懸架する軌道懸架用滑車部と、を備えることを特徴とする請求項１〜３のいずれか１項に記載の覆工コンクリートの湿潤養生装置。
【請求項５】
前記型枠は、噴霧装置に対して供給する噴霧液を蓄えておくタンクと、
このタンクから前記噴霧ノズルに噴霧液を送るホースを収納できるホース収納空間とを有することを特徴とする請求項１〜４のいずれか１項に記載の覆工コンクリートの湿潤養生装置。
【請求項６】
前記軌道には、ホースを一定のピッチで支持すると共に前記移動体の移動に合わせて軌道上を滑走する複数のホース支持用滑車を備えることを特徴とする請求項１〜５のいずれか１項に記載の覆工コンクリートの湿潤養生装置。
【発明の詳細な説明】
【技術分野】
【０００１】
本発明はトンネル覆工の湿潤養生技術に関する。
【背景技術】
【０００２】
地山を掘削して形成された素堀トンネルの掘削面（内壁面）をコンクリートで被覆するトンネル覆工工事では、一般的にはまず素堀トンネルの掘削面にコンクリートを吹き付ける一次覆工を行う。そして、一次覆工後のトンネル内壁面をさらにコンクリートで被覆する二次覆工を行う。
【０００３】
二次覆工では、トンネル内を移動可能な型枠（以下セントル）を用いて、コンクリートを被覆する。セントルは、一次覆工後のトンネル内に移動される。そして、固形化する前のコンクリートをセントルと一次覆工後のトンネル内壁面との間へ流し込むコンクリート打設を行う。
【０００４】
打設されたコンクリートは、硬化するまでの所定時間の間に外力が加わらないように、セントル内部で保護される。そして、硬化した後でセントルは外される。
【０００５】
セントルを外した脱枠後、硬化したコンクリートが、乾燥収縮により表面にひび割れが発生するのを抑制するために、適度な湿潤状態に保つことが必要である。これをコンクリートの養生という。
【０００６】
養生方法としては、例えば、次のような方法が周知である。
すなわち、複数の噴霧口が長手方向に形成された噴霧管をトンネルの長手方向に延びるようにかつトンネル内周面に沿って等間隔になるように複数配置し、前記噴霧管に高圧で水を送り込み、トンネル内壁面に向けて各噴霧管の噴霧口からミストを噴出するという方法である。
【０００７】
なお、噴霧管の配置形態としては、上記の他にトンネルの横断面形状に沿うように、例えばアーチ形状にされた複数の噴霧管をトンネルの長手方向に等間隔で配置するというものもある。
【特許文献１】特開平７−１７３９９７号公報
【発明の開示】
【発明が解決しようとする課題】
【０００８】
ところで、これまでの技術では、上述のように噴霧管を複数必要としていたため、装置が大型化する傾向にあった。
【０００９】
本発明は上記事情に鑑みてされたものであり、その解決しようとする課題は、少なくとも設備の大型化を抑制することができる覆工コンクリートの湿潤養生装置を提供することにある。
【課題を解決するための手段】
【００１０】
本発明に係る装置は、トンネル内壁面をコンクリートで被覆するトンネル覆工工事で使用され、トンネル内を移動する覆工用の型枠とトンネル内壁面との間の空間に打設されたコンクリートの硬化後、当該硬化した覆工コンクリートの表面にひび割れが発生するのを抑制するためにコンクリート表面を湿潤状態にして養生させる覆工コンクリートの湿潤養生装置である。
【００１１】
そして、本装置は、天井面に設置され前記型枠の後方に向けて延びる軌道と、この軌道に沿って移動可能な移動体と、この移動体に設置され覆工コンクリートに向けて噴霧液を噴霧する噴霧装置と、を有し、前記軌道は、前記型枠の進行に伴いその進行方向に増設される支持材によって移動自在に支持されることを要件とする。なお、型枠の後方とは、トンネルが掘削されて行く方向を前方というのに対する後方の意味である。
【００１２】
したがって、軌道が天井面に設置されるので、路盤には軌道が存在しなくなる。よって、例えば、コンクリート打設のためのポンプ車を当該打設時に配置する際の制約が緩和される。また、トンネル内には防災設備の設置用空間をトンネル側壁面に形成する必要があるが、当該空間を形成するための型枠を抜く作業の実行にあたり、路盤に軌道が存在しなくなる関係で作業性が良好になる。
【００１３】
次に、移動体は、軌道の延びる範囲で移動する。そして、移動体に設置されている噴霧装置から前記覆工コンクリートに向けて噴霧液が噴霧される。したがって、軌道上を移動体が移動している間に噴霧液が噴霧されると、移動体の移動した領域では覆工コンクリートに噴霧液が噴霧され、覆工コンクリートは湿潤される。
【００１４】
覆工コンクリートを湿潤させるにあたり必要なものは、軌道と、この軌道を移動しかつ噴霧装置を備えた移動体だけでよいので、湿潤養生装置の大型化を抑制できる。
【００１５】
また、型枠の進行に伴い軌道を増設するのではない。増設するのは当該軌道を支持する支持材である。
【００１６】
支持材は、軌道及びこの軌道を移動する移動体並びにそれらの付属品の重量を支持できればその機能性としては十分である。よって、支持材は大きなものである必要がない。
【００１７】
例えば軌道をＩ形鋼とすれば、Ｉ形鋼の重量と、このＩ形鋼を移動する移動体の重量と、その他の付属品の重量とを支えるだけの強度を少なくとも有するものであればよい。例えば、トンネルの長手方向において所定の間隔を開けて、アンカー等を用いて設置される支持具で十分と考えられる。よって、これによっても湿潤養生装置の大型化を抑制することができる。
【００１８】
以上、本発明につき、その概略を説明したが、以下、本発明の更なる特徴点を説明する。
前記移動体は、前記軌道上を滑走する滑走部と、この滑走部に支持されかつ前記噴霧装置を装備する噴霧装置装備部と、を有する。
【００１９】
前記噴霧装置は、トンネル横断面の少なくとも上半部分の形状に沿った形状をしたハンガーと、このハンガーに備えられる多数の噴霧ノズル部と、を有し、
噴霧ノズル部は、ノズルとこのノズルに対して噴霧液を供給する管体とを有し、少なくとも管体は伸縮自在の蛇腹状をした管である。
【００２０】
前記支持材は、トンネル天井面に垂下された状態で取り付けられる取り付け部と、前記軌道を滑走自在な状態で懸架する軌道懸架用滑車部と、を備える。
【００２１】
前記型枠は、噴霧装置に対して供給する噴霧液を蓄えておくタンクと、このタンクから前記噴霧ノズルに噴霧液を送るホースを収納できるホース収納空間とを有する。
【００２２】
前記軌道には、ホースを一定のピッチで支持すると共に前記移動体の移動に合わせて軌
道上を滑走する複数のホース支持用滑車を備える。
以上説明した構成は、可能な限り組み合わせることができる。
【発明の効果】
【００２３】
噴霧装置の設置された移動体が軌道を移動するので、移動体が移動している間に噴霧を行えば、移動体の移動範囲内においてトンネル内での噴霧が可能になる。このため、従来のように、トンネル内に噴霧管を複数設置する必要がない。よって装置の小型化ができる。また、小型化すれば工事は簡単であるから工期短縮に寄与する。
【発明を実施するための最良の形態】
【００２４】
以下、本発明の覆工コンクリートの湿潤養生装置の実施の形態（以下、実施形態）を添付した図面を参照して説明する。
【００２５】
図１〜５は、二次覆工が行われコンクリートの硬化後、脱枠されたトンネル１及び当該トンネル１内に設置された本発明に係る覆工コンクリートの湿潤養生装置（以下、湿潤養生装置）２がトンネル１内に設置されている状態を示す。
【００２６】
トンネル１は、例えば、横断面円弧形のいわゆる「かまぼこ形」トンネルである。
【００２７】
図１及び２の右側が、素堀トンネルの形成側であり、その方向に図示しない掘削装置が設置され、当該方向に掘削装置は進行する。またセントルＳは、自走し、掘削装置に続いて進行する。セントルＳはその後方に位置する湿潤養生装置２を牽引する。
【００２８】
湿潤養生装置２は、路盤上に走行可能に設置されたセントルＳの後方に向けて延びる軌道３と、軌道３に沿って移動可能な移動体４と、移動体４に設置され覆工コンクリートに向けて噴霧液を噴霧する噴霧装置５と、を構成部材として有する。
以下、湿潤養生装置２のこれら構成部材について詳しく述べる。
【００２９】
＜軌道３＞
軌道３は、この実施形体では、Ｉ形鋼を複数直列に連結して構成されたものであり、支持材６によってトンネル１の内壁面１１のうち天井面１１ｃ（覆工クラウン部ともいう）に設置される（図８〜１０参照）。また軌道３は、単に天井面１１ｃに設置されるだけではない。支持材６により、天井面１１ｃに懸架された状態で、天井面１１ｃをトンネル長手方向に自在に移動できるようになっている（図１１参照）。
【００３０】
トンネル内における軌道３の移動を掘削装置の進行に合わせて可能にするため、支持材６は、掘削装置に牽引されるセントルＳの進行に伴って、その進行方向に増設される。複数の支持材６により支持された状態で、軌道３は天井面１１ｃ沿いに滑走可能となる。
【００３１】
支持材６は、図７〜１０に示すように、トンネル天井面１１ｃに垂下された状態で取り付けられる取り付け部６１と、取り付け部６１と一体化されかつその下方に位置し、軌道３を滑走自在に懸架する軌道懸架用滑車部６２とを備える。
【００３２】
なお、支持材６は、軌道３及びこの軌道３を移動する移動体４並びにそれらの付属品の重量を支持できれば十分である。よって、支持材６は大きなものである必要がない。付属品としては、例えば後述する送水ホースや電気ケーブルを挙げられる。
【００３３】
取り付け部６１は、埋め込みアンカー６１１と、埋め込みアンカー６１１により天井面１１ｃに固定される固定部６１２と、固定部６１２に対して取り付けられ、軌道懸架用滑車部６２を揺動可能に下垂するための揺動支軸６１３とを有する。
【００３４】
軌道懸架用滑車部６２は、揺動支軸６１３の両端に揺動自在に対向状態で下垂された一対の下垂板６２１と、各下垂板６２１の対向面にそれぞれ取り付けられた一対の滑車６２２と、各滑車６２２を下垂板６２１に回転自在に取り付ける回転軸６２１ａとを有する。
【００３５】
下垂板６２１は、軌道３の長手方向に長い矩形板材でできている。そして、一対の滑車６２２は、下垂板６２１の長手方向に直列状態で配置されている。また、各下垂板６２１の滑車６２２は、相互に他方の下垂板６２１の滑車６２２と同軸上に位置する。すなわち滑車６２２は、軌道懸架用滑車部６２に合計４つ備えられている。
【００３６】
そして、軌道３を形成するＩ形鋼の上フランジ３１の下面３１ａを、これら４つの滑車６２２で下方から片側２つずつＩ形鋼のウェブ３３を境に当接するようになる（図８，９，１０参照）。これにより、軌道３が支持材６により支持される。なお、Ｉ形鋼の前記上フランジに対する下フランジを符号３２で示す。
【００３７】
＜移動体４＞
移動体４は、軌道３上を滑走する滑走部４１と、滑走部４１に支持されかつ噴霧装置５を装備する噴霧装置装備部４２とを有する（図９参照）。
【００３８】
滑走部４１は、軌道３の前記下フランジ３２の上面３２ａに当接した状態で取り付けられるトロリーを有する。
【００３９】
トロリーは、駆動装置を有する電動トロリー４１１と、電動トロリー４１１から軌道３の長手方向に所定の間隔を空けて配置されている従動車としてのプレーントロリー４１２とを含む（図２，６および９参照）。
【００４０】
両トロリーの違いは、駆動モータの有無の違いでしかない。
したがって、電動トロリー４１１のみについて説明し、プレーントロリー４１２のうち電動トロリー４１１と同一箇所に同一符合を付してプレーントロリー４１２の説明は省略する。
【００４１】
電動トロリー４１１は、図６，８，１０からわかるように、軌道３を間に挟んで対峙する一対の基板４１１ａと、当該一対の基板４１１ａを一体化する連結軸４１１ｂと、各基板４１１ａの対向面に取り付けられた一対の滑車４１１ｄと、片側の基板４１１ａに取り付けられた駆動モータ４１１ｆと、駆動モータ４１１ｆと対向する側に設置されかつ電動トロリー４１１の駆動制御を行う制御板４１３とを有する。
なお、基板４１１ａのうち滑車４１１ｄが取り付けられる対向面を内側面といい、滑車４１１ｄの取り付けられていない側の面を外側面という。
【００４２】
基板４１１ａは、軌道３の長手方向に長い矩形板材である。そして、基板４１１ａの一方（内側）の面には、前記一対の滑車４１１ｄが、基板４１１ａの長手方向に直列状態で配置され、かつ回転軸４１１ｃにより回転自在に取り付けられている。また、各基板４１１ａの滑車４１１ｄは、相互に他方の基板４１１ａの滑車４１１ｄと同軸上に位置する。よって、電動トロリー４１１には、滑車４１１ｄは、合計４つある。
【００４３】
連結軸４１１ｂは、前記一対の基板４１１ａの下方部でかつ当該基板４１１ａの幅方向中央に位置する。
【００４４】
そして、軌道３の前記下フランジ３２の上面３２ａと、これら４つの滑車４１１ｄが片側２つずつＩ形鋼のウェブ３３を境に当接した状態で、電動トロリー４１１が軌道３に設
置される（図８，１０参照）。
【００４５】
駆動モータ４１１ｆの駆動力は、駆動モータ４１１ｆの図示しない駆動軸から同じく図示を省略した伝達ギヤを介して、４つある滑車４１１ｄのうち駆動モータ４１１ｆの位置する側の２つの滑車４１１ｄに伝達される。なお、４つある滑車４１１ｄの全部に駆動力が伝達されるようにしてもよい。そして、制御板４１３により駆動モータ４１１ｆは正転及び逆転し、移動体４が軌道３上を任意の設定時間、往復移動できるようになっている。またその間に噴霧装置５により噴霧液が噴霧されるようになっている。噴霧装置５による噴霧液の噴霧は、図示しない制御装置によって行われる。
なお、このような自動設定に限らず、手動により移動体４を移動し、そこで噴霧できる
ようにしてもよい。自動設定と手動設定とを選択し現場の状況に合わせて対応できるようになっていることが好ましい。
【００４６】
前記噴霧装置装備部４２は、電動トロリー４１１及びプレーントロリー４１２の各連結軸４１１ｂに回転自在に垂下された一対の下垂ロッド４４の下端に取り付けられる。また、噴霧装置装備部４２は噴霧装置５を装備する。この実施形態では、噴霧装置装備部４２は、軌道３の長手方向に延びる構造体である（図６参照）。
【００４７】
噴霧装置装備部４２は噴霧装置５を装備し、かつ電動トロリー４１１及びプレーントロリー４１２に垂下できるようになっていればその形態は問わないが、この実施形態では軌道３の長手方向に延びる形状体とされている。
【００４８】
電動トロリー４１１への電力供給用の電源をセントルに設け、この電源から図示しない電気ケーブルを介して、電動トロリー４１１へ電力を供給する。
【００４９】
＜噴霧装置５＞
噴霧装置装備部４２に装備される噴霧装置５は、図２，４および５等からわかるように、噴霧装置装備部４２の長手方向のうちセントル側に設置されている。
そして図３，４，８等からわかるように、噴霧装置５は、トンネル横断面の少なくとも上半部分の形状に沿った形状（円弧形状）をしたハンガー５１と、このハンガー５１の長手方向に等間隔で備えられる多数の噴霧ノズル部５２とを有する。
【００５０】
ハンガー５１は、軌道３と噴霧装置装備部４２との間に位置し、平面視で軌道３及び噴霧装置装備部４２と直交するように配置されている。
【００５１】
ハンガー５１には、ハンガー５１の長手方向に延びる中心線（図示せず）上に噴霧管５１１が、図示しない固定バンド等の取り付け手段によって設けられている。噴霧管５１１には、噴霧ノズル部５２が、等間隔で多数点在して設けられている。
【００５２】
噴霧ノズル部５２は、ノズル５２ａと、ノズル５２ａに対して噴霧液を供給する管体であるパイプ体５２ｂと、を有する。そして、少なくともパイプ体５２ｂは、伸縮自在でかつ形状変化可能な蛇腹状をした塩化ビニル樹脂素材等からなる管体である。噴霧ノズル部５２は、連結管５１１ａを介して、噴霧管５１１に取り付けられる。
この噴霧ノズル部５２からトンネル内壁面１１に向けて噴霧液として例えば水が噴霧される。また水の代わりに水を主とする被膜養生剤であってもよい。
【００５３】
また噴霧管５１１には、その中央部に、後述する貯水タンク８から水を供給するための送水ホース９を連結する連結部５１２が設けられている（図８参照）。図７に示すように、送水ホース９の途中には、水ポンプ９１が介在されている。この水ポンプ９１によって、噴霧管５１１に水を高圧で送り込む。
【００５４】
噴霧管５１１に高圧で送り込まれた水は、連結部５１２から分岐する。そして、ハンガー５１の両側に向けて延びる噴霧管５１１を経由し、噴霧管５１１に取り付けられている噴霧ノズル部５２からミストとなって勢いよく噴出される。
【００５５】
＜その他＞
セントルＳには、噴霧装置５に対して供給する噴霧用の水を蓄えておく前記貯水タンク８と、前記送水ホース９および電気ケーブルを収納するホース収納空間１０とを有する（図２〜５参照）。なお、図面では、便宜上、送水ホースに電気ケーブルを合わせたものを送水ホース９として示した。
【００５６】
タンク８は、セントルＳの下部に設置され、ホース収納空間１０は、セントルＳの上部空間のうち軌道３とセントルＳとが交叉する箇所に確保されている。
【００５７】
そして、軌道３のうち、セントル側の端部には、送水ホース９を一定のピッチで支持すると共に移動体４の移動に合わせて軌道３上を滑走するホース支持用貨車１３を複数備える（図２，４および５参照）。
【００５８】
ホース支持用貨車１３は、ホース９を係止することができ、かつその状態で、軌道３であるＩ形鋼の下フランジ３２を滑走できるものであれば、どのような構造であっても構わない。例えば、プレーントロリー４１２のような滑走手段の下端部に送水ホース９を通す輪っか状の係止部を備えたものが考えられる。但し、送水のためにホースに水を流しても軽量であると考えられるので、プレーントロリー４１２よりも軽量小型の装置で十分である。
【００５９】
ホース支持用貨車１３を一定のピッチで送水ホース９に取り付けると、送水ホース９は、図２，４及び５に示すように、蛇腹状をしたアコーディオン形態となって移動体４の移動に合わせて軌道３に沿って伸縮する。
【００６０】
また、ホース支持用貨車１３は、送水ホース９とともに前記電気ケーブルを係止する。このようにすることで、電気ケーブルも送水ホース９と同様、アコーディオン形態となって移動体４の移動に合わせて軌道３に沿って伸縮する。
【００６１】
なお、図１〜５に示される符号９２が示唆するものは送風管である。送風管９２は、トンネル１内に外気を導入して換気するための管である。送風管９２は、トンネル１内をその天井面１１ｃの近傍に設置され、トンネルの長手方向に延びている。
【００６２】
＜作用・効果＞
次にこのような構成からなる湿潤養生装置２の作用効果について述べる。
Ｉ形鋼が複数本直列に連結されてなる軌道３は、トンネル１の天井面１１ｃに設置された多数の支持材６に滑走自在に懸架される。そして、支持材６の移動範囲は、当該支持材６がトンネル１内で設けられている範囲である。
【００６３】
軌道３が支持材６により支持される状態を図１１〜図１５を参照して説明する。なお、図１１〜図１５は、一本の支持材６に対する軌道３の状態を例示的に示すが、既述の通り軌道３は複数の支持材６によって支持されている。
【００６４】
図１１には、セントルＳの進行に伴って増設された支持材６に軌道３がまだ支持されていない状態を示す。
図１１に示した支持材６に向け、セントルＳに牽引された軌道３が、徐々に近づいて行
く（図１２参照）。
【００６５】
やがて、軌道３の先端が支持材６に支持される（図１３参照）。
そして、軌道３は支持材６に完全に支持され、さらに矢印方向に移動する（図１４参照）。
軌道３の進行が終了すると、支持材６は軌道３の後端を支持する（図１５参照）。
そして、軌道３が停止した状態において、換言すればセントルＳが停止している状態において、移動体４は、軌道３の延びる範囲で移動する。
また、支持材６は、セントルＳの進行に伴い、その進行方向に増設される。よって支持材の増設範囲は拡大する。
【００６６】
移動体４の移動に伴い、移動体４に設置されている噴霧装置５から覆工コンクリート１の内壁面１１に向けて水が噴霧される。
【００６７】
そして、噴霧装置５に含まれるハンガー５１は、既述のようにトンネル横断面の上半部分の形状に沿った円弧形状をしており、ハンガー５１には多数の噴霧ノズル部５２が等間隔で備えられているので、軌道３上を移動体４が移動している間に水が噴霧されると、移動体４の移動した領域では、覆工コンクリートで覆工されたトンネル内壁面１１に水が噴霧され、当該領域で一様に湿潤されるようになる。
【００６８】
本実施形態で、覆工コンクリートを湿らせるにあたり、必要なものは、軌道３と、この軌道３を移動しかつ噴霧装置５を備えた移動体４だけでよいので、湿潤養生装置２の大型化を抑制できる。
【００６９】
セントルＳの進行に伴い軌道３を増設するのではない。増設するのは軌道３を支持する支持材６である。支持材６は、トンネル１の長手方向において所定の間隔を開けて、埋め込みアンカー６１１を用いて設置される簡易かつ小型の支持具であるから、これによっても湿潤養生装置２の大型化を抑制することができる。
【００７０】
また移動体４は、軌道３上を滑走する滑走部４１と、この滑走部４１に支持されかつ噴霧装置５を装備する噴霧装置装備部４２とを少なくとも有していればよいので、これによっても湿潤養生装置２の小型化が可能である。
【００７１】
そして、軌道３が天井面１１ｃに設置されるので、路盤には軌道が存在しなくなる。よって、例えば、コンクリート打設のためのポンプ車（図示せず）を当該打設時に配置する際の制約が緩和される。
【００７２】
また、トンネル内には防災設備の設置用空間をトンネル側壁面に形成する必要があるが、当該空間を形成するための型枠を抜く作業の実行にあたり、路盤に軌道が存在しなので邪魔になるものが少なく、よってそれだけ作業性を良好にすることができる。
【００７３】
さらにハンガー５１がトンネル１の横断面の上半部分の形状に沿った円弧形状をしているため、ハンガー５１に取り付けられる多数の噴霧ノズル部５２もトンネル１の横断面の上半部分の形状に沿って円弧形状に配置されるようになる。よってトンネル横断面の形状に合わせて満遍なく噴霧することができる。よって漏れなくトンネル横断面を湿潤することができる。
【００７４】
加えて、噴霧ノズル部５２は、伸縮自在でかつ形状変化可能な蛇腹状をした塩化ビニル樹脂素材等からなるパイプ体５２ｂを有するので、噴霧の行き届かない箇所があった場合には、いかなる形状にも手で曲げ加工でき、その曲げた状態で形を保持することができる
。
よって、噴霧ノズル部５２の向きを噴霧の行き届かない箇所に変更することが作業者にとって容易にできる。この結果、トンネル内壁面１１に満遍なくかつ均一に水の噴霧をすることができる（図１６参照）。
【００７５】
加えて支持材６は、トンネル天井面１１ｃに垂下された状態で取り付けられる取り付け部６１と、軌道３を滑走自在な状態で懸架する軌道懸架用滑車部６２とを少なくとも有していればよいので、これによっても湿潤養生装置２の小型化が可能である。
【００７６】
そしてセントルＳは、噴霧装置５に対して供給する噴霧用の水を蓄えておく貯水タンク８と、このタンク８から噴霧ノズル部５２に水を送る送水ホース９（電気ケーブルを含む）を収納するホース収納空間１０とを有するので、これらを移動体４に設けた場合と比較して湿潤養生装置２の小型化が可能である。
【００７７】
さらに軌道３には、送水ホース９および電気ケーブルを一定のピッチで支持すると共に移動体４の移動に合わせて軌道３上を滑走する複数のホース支持用滑車１３を備えるので、移動体４の移動に合わせた送水ホース９および電気ケーブルの形態が、アコーディオン形態となり、よって送水ホース９および電気ケーブルの伸縮がスムースにできる。
【００７８】
電源はセントルＳにおいたものを例示したが、電動トロリー４１１駆動用の充電池等を移動体４に搭載するようにしてもよい。
【００７９】
また、本発明は、上述の図示例にのみ限定されるものではなく、本発明の要旨を逸脱しない範囲内において種種変更を加え得ることは勿論である。
【図面の簡単な説明】
【００８０】
【図１】本発明に係る覆工コンクリートの湿潤養生装置の概略全体斜視図である。
【図２】図１の拡大縦断面図である。
【図３】図１の拡大横断面図である。
【図４】図１の要部拡大詳細斜視図であって、移動体がセントルから移動した状態を示す図である。
【図５】図４と同様、図１の要部拡大詳細斜視図であって、移動体がセントルから離れる前の状態を示す図である。
【図６】図４の要部拡大図である。
【図７】貯水タンクに貯水されている水がスプレーノズルから噴射されるまでの経路を説明するための図である。
【図８】図７の領域VIII部分の拡大図である。
【図９】図８の右側面図である。
【図１０】図９の領域X部分の拡大図である。
【図１１】支持材に支持された軌道の移動する順序を説明するための最初の図であり、セントルの進行に伴って増設された支持材に軌道がまだ支持されていない状態を示す図である。
【図１２】図１１に連続する図であって、支持材に軌道が支持される直前の状態を示す。
【図１３】図１２に連続する図であって、支持材に軌道の先端が支持された状態を示す図である。
【図１４】図１３に連続する図であって、軌道が支持材に完全に支持され、移動途中の状態にあることを示す図である。
【図１５】図１４に連続する図であって軌道の移動が終了し、軌道の後端を支持材が支持している状態を示す図である。
【図１６】スプレーノズルの拡大側面図である。
【符号の説明】
【００８１】
１  トンネル
２  覆工コンクリートの湿潤養生装置
３  軌道
４  移動体
５  噴霧装置
６  支持材
８  貯水タンク
９  送水ホース
１０  ホース収納空間
１１  トンネル内壁面
１１ｃ  トンネル天井面
１３  ホース支持用滑車
３１  上フランジ
３１ａ  下面
３２  下フランジ
３２ａ  上面
４１  滑走部
４２  噴霧装置装備部
４４  下垂ロッド
５１  ハンガー
５２  噴霧ノズル部
５２ａ  ノズル
５２ｂ  パイプ体
６１  取り付け部
６２  軌道懸架用滑車部
９１  水ポンプ
９２  送風管
４１１  電動トロリー
４１１ａ  基板
４１１ｂ  連結軸
４１１ｃ  回転軸
４１１ｄ  滑車
４１１ｆ  駆動モータ
４１２  プレーントロリー
４１３  制御板
５１１  噴霧管
５１２  連結部
６１１  埋め込みアンカー
６１２  固定部
６１３  揺動支軸
６２１  下垂板
６２１ａ  回転軸
６２２  滑車
Ｓ  セントル（型枠）
【図１】
2009108612.tif 000003
【図２】
2009108612.tif 000004
【図３】
2009108612.tif 000005
【図４】
2009108612.tif 000006
【図５】
2009108612.tif 000007
【図６】
2009108612.tif 000008
【図７】
2009108612.tif 000009
【図８】
2009108612.tif 000010
【図９】
2009108612.tif 000011
【図１０】
2009108612.tif 000012
【図１１】
2009108612.tif 000013
【図１２】
2009108612.tif 000014
【図１３】
2009108612.tif 000015
【図１４】
2009108612.tif 000016
【図１５】
2009108612.tif 000017
【図１６】
2009108612.tif 000018